(57)【特許請求の範囲】
【請求項１】
ディスペンサ中に多層積層体（９）として配列された個別に投与される分離したシート状投与フォームを製造する方法であって、該投与フォームは、治療用、化粧用または食品技術用として用いられるものであり、以下の工程を含む前記方法：
−  シート状中間生産物の複数のロール（１）を同時に巻き戻す工程；
−  シート状中間生産物の個別のウエブを重ね合わせ、ガイド手段（２）を用いて、多層ストランド（８）を形成する工程；
−  ディスペンサを充填位置にもたらす工程；
−  得られた多層ストランド（８）を共同してクロスカットして前記投与フォームを多層積層体（９）として一度に製造し、ディスペンサに充填する工程。
【請求項２】
ディスペンサ（５）が、その充填の後、ローデイング位置から自動的に運び去られ、空のディスペンサ（５）はその場所に自動的に供給されることを特徴とする、請求項１記載の方法。
【請求項３】
１個のロール（１）上に、少なくとも二枚のシート状テープ（１０）が、それらの上面および底面の向きが同じ状態で巻回されることを特徴とする、請求項１または２記載の方法。
【請求項４】
ディスペンサ（５）の代わりに、多層積層体（９）を受け入れるための封止バッグが使用されることを特徴とする、請求項１〜３のいずれかに記載の方法。
【請求項５】
テープのロール（１）からのテープ（１０）の引き出しが光学的に管理され、テープの端部が現れたとき、作業工程が停止されることを特徴とする、請求項１〜４のいずれかに記載の方法。
【請求項６】
ディスペンサ（５）中に複数の多層積層体（９）を引き続きロードすることを特徴とする、請求項１〜５のいずれかに記載の方法。
【請求項７】
−  巻回されたシート状テープ（１０）を有する複数のロール、ここで前記ロールからテープを巻き戻すことができる、
−  種々の方向から供給されるテープ（１０）を一体にして多層ストランド（８）を形成する少なくとも一つのガイド要素（２）、
−  多層ストランド（８）を前進させるための前進装置（３）、
−  切断装置（４）と、更に
−  空のディスペンサ（５）を供給し、かつルーズ−リーフ積層体（９）が充填されたディスペンサ（５）を運び去るための輸送および制御手段を有し、
複数個の分離したシート状投与フォームを、前記投与フォームの多層積層体（９）を形成しながら、ディスペンサ（５）中に導入する装置であって、
前記切断装置（４）が、前進装置（３）と充填位置にあるディスペンサ（５）の間に配置されることを特徴とする、前記装置。
【発明の詳細な説明】
【０００１】
本発明は、コイルに巻回されたシート状テープを出発材料として、個別に分離して投与可能な、複数個の分離したシート状投与フォームを多層積層体を形成しつつディスペンサに導入する、方法並びに装置に関する。投与フォームは、その用途のために、治療上の、健康維持のための、または化粧用の、または食品技術的生成物を含有してもよい。
【０００２】
口腔領域および口腔の粘液膜で使用するようにした平坦状投与フォームが知られている。かくして、米国特許第３４４８５８号は、ゼラチン状の材料に基づく薬物ストリップを開示している。
更に、医療分野外でこのようなシートを使用する提案が知られている。欧州特許第０２１６７６２号には、ロールコータによりコートされる澱粉、ゼラチン、グリセリン、またはソルバイトの水溶性シートが開示されている。この明細書では、このような投与フォームは、例えば化学試薬、風味などに対しても製造出来ることが言及されている。
【０００３】
マーケットでは、プラスチックから形成された単一ユニットディスペンサによる投与フォームが１９９５年から得ることが出来るようになってきており、化粧品や甘味物の応用分野で確立されるようになってきており、ここではＮｉｓｓｈｉｎ、Ｊａｐａｎの製品について言及する。単一ユニットディスペンサは重ね合わされたシートセクシヨンの積層体を有し，これらの積層体は、開放リップの開放後それぞれの上部片の個別の除去を許容する。
【０００４】
しかしながら、このようなシート状出発材料の積層体を生成し、パッケージするタスクに対する技術的解決は、困難であり、文献はそれらの製造に対して実用できる指示を与えない。米国特許第４１８０５５８号のみが、食用ウエブのスタッキングについて開示しているが、しかしながら、これらのウエブは、それらのエッジにおいて互いに積層され、従ってこれらのウエブは上記の応用モードに適していないという問題点がある。
【０００５】
このようなシート状投与フォームは、それらの単位面積当たりの小さな重量、例えば１０〜５０ｇ／ｍ２に起因して静的に帯電されるようになることから、また表面がウエブの迅速な除去に適するように構成されるので、人がシートセクシヨンの正確に位置決めされた切断および重ね合わせに成功することは非常に困難であり、時間の消耗である。
【０００６】
抄紙またはプラスチックバッグのパッケージなどの産業分野における製造方法を見ると，これは問題点を解決する実行出来る実際的な示唆は何も与えない。米国特許第４０７００１４号には、真空吸引移送ロールにより部分的に重なる配置の異なる２種類の紙葉からの積層体の形成方法が開示され、この方法は、米国特許第５３４８５２７号から知られた紙葉積層体方法と同様に，ロールおよび積層体上の個別の堆積からの個々のカットを含む比較的時間のかかる方法を開示するものである。
【０００７】
米国特許第４４０６６５０号には、ロールから紙葉ウエブの形成方法が開示され、このウエブはジグザグ構成で折り畳まれ，このウエブから切断により積層体が形成される。この場合の問題点は材料の切断にある。ウエブの上面および底面が異なる構造を有するとき、あるいは、波動の場合には、個々のシートを、それらの元の上部側が上に向くように積層するのは不可能である。
【０００８】
以上の技術状態から始めて、本発明の目的は、請求項１の導入部で言及した種類の方法と装置を与えることにあり、これは、上記の不利益と問題点を回避しながら、ディスペンサ中への個々に投与可能なシート状投与フォームのディスペンサへの導入を、正確に、高い方法速度で、また多層積層体の形成下で可能にし、コイルに巻回されたシート状テープは出発材料として存在するものである。
【０００９】
この目的は、上記特許請求の範囲の特徴部分で示した工程のシーケンスにより請求項１の導入部分で言及した種類の方法において本発明により実現される。
利点および非常に簡単な手順により、積層体は、シート状中間生成物の複数個の単一ロールの同時的な巻き戻しにより、個々のウエブの重ね合わせにより、得られた多重ラミネートストランドをクロスカットし、積層体を長さに切断することにより、正確に形成され、ディスペンサ中に搬送される。大きな利点と共に、本発明による方法は高速の正確な動作に適している。
【００１０】
この目的のために与えられる狭いロールの中間生産物は、例えば、生産物の幅を有する約２０ｍから１０００ｍの長さの、巻回された個々のウエブから構成され、これらのウエブは、元の広い幅の材料からロール切断により生成することが出来る。最も簡単な場合には、ディスペンサ当たりのシート片の個数に対応する一連の狭いロールが、この目的のために、製造されるべき積層体の近傍で軸上に転動自在に固定される。
ロールの回転および巻き戻しの方向は好適には同じであり、また材料は、当業者には公知の引張装置によりロールの全てから共同に引き出され、ガイドされる。次に，得られた多重ラミネートストランドが、横方向エッジの制御と水平化の下でクロスカット装置に供給され、このクロスヵット装置の背後には、供給されるべきディスペンサが開放状態で配置される。
【００１１】
使用される狭いロールは殆ど任意の形状をなしてよい。ロール幅は５〜４０ｍｍの間で良好な結果を得ることが出来る。コイルされた材料の長さは、動作がしばしば遮断されることを回避するためロール当たり少なくとも約２０ｍ、好適には５００ｍ以上になるべきである。前進中に二本以上のテープを一体化することが可能であり、また巻回または巻き戻しを同時に行うことが可能であるが、これらは、多数の層が巻回されつつあるとき問題がしばしば生じる。８層あるいはそれ以上のこのようなシート層からなるラミネートを制御された方法で巻き戻すことは不可能なことがわかっており、それは、外半径上に布設されたシートストリップのこれらのラミネート要素が内側のラミネート要素よりわずかに長いことによる。ロールを巻き戻すとき、４層以上のラミネート層の場合には、これはウエブの放散に導き、従って方法の中断に導く。
【００１２】
このため、２〜３の、例えば、多くて４個のラミネート要素を持つロールの巻回および巻き戻しが好適に利用される。
ディスペンサの種類は本発明の応用にとり重要ではない。プラステイック材料または板紙によるディスペンサは問題なく充填することが出来る。長方形状のシートセクシヨンの場合には，開放側は狭い側でよく、その場合、予めカットされた狭幅のロールは長方形の小さな側辺長の幅を有する。
しかしながら、狭いロールがシートセクシヨンのより後の長手方向寸法内で構成されるときは、ディスペンサの開放側面は長手方向側部の一つの側部にある。
【００１３】
２片ディスペンサの場合には、例えば引出の形状に形成された底部を先ず充填し、次にその上に頂部を配置することが好都合であろう。しかしながら、半開きのディスペンサを充填することも可能である。更に，封止バッグを充填することも可能であり、これらのバッグは、特に剥離可能な構成の場合には、例えば前進する封止自在なパッケージ材料ウエブの底部ウエブ上にカット積層体を配置し、次にパッケージ材料の上部ウエブの供給の後、得られたバッグを封止することによりディスペンサとして使用可能である。
【００１４】
この発明の詳細、特徴、および利点は、図面に概略的に示した方法フローシートの以下の説明から例示により明らかになろう。
【００１５】
個別に分離して投与可能な、複数個の個別のフィルム状投与フォームを、多層積層体（９）を形成しつつ、ディスペンサ中に導入する装置は、図１によれば、不定数の――層の個数に依存する――ロール（１ａ〜１ｈ）からなり、これらのロールには活性物質を含有するテープ（１０）が巻回される。
上記テープ（１０）は、巻き戻されるとき、異なる角度で水平方向に移動してロール（２）をガイドし、これらのロールの間を通過し、テープ（１０）は方法中に多層ストランド（８）に結合される。ストランド（８）は一対の搬送ロール（３）により把持され、切断装置（４）に引き出される。互いに正確なアラインメントで重ね合わされ、ディスペンサ（５）が予め、搬送装置（図略）により充填位置に自動的にもたらされた後準備完了して保持されるデイスペンシングコンテナ（５）中に充填された一つの多層積層体（９）が、輸送経路の端部に達した後、一度に切断装置（４）によりストランド（８）から切断される。方法中は、ディスペンサ（５）は少なくとも一つの積層体（９）がロードされる。材料に依存し、解決されるべきタスクに依存して、デイスペンシングコンテナ（５）はまた、引き続き複数個の積層体（９）をロードすることが出来る。
【００１６】
次に、ロードされたコンテナはコンベヤ装置（１１）により輸送される。
上記方法および装置は非常に単純であり、費用効果的に実現することが出来、始めにセットされたタスクに対して理想的な解を提供することが出来る。
【図１】
0004059422.tif 000002